(57)【特許請求の範囲】
【請求項１】
汚水流入経路を通じて汚水浄化槽に流入してくる汚染排水を最初に収容して一時的に貯溜して排水内に含まれる汚染物質や混入異物等を沈殿分離可能な一次処理槽と、該一次処理槽に隣接してその上澄み水を充溢、移動し、収容した排水を好気性または嫌気性の微生物を用いた浄化や、中和、凝集、沈殿等による浄化を施す二次処理槽と、さらに二次処理槽に隣接し、そこから充溢、移動するようにした上澄み水を収容して塩素剤等に接触させ、自然環境中に放流可能とするよう消毒処理を施して上澄み分から順次、充溢するよう自然排水するか、あるいは所定量に達したときにポンプによる強制的な汲み上げによって排水するよう形成した二次処理槽以下の処理槽とが、一個の筐体状のものの中に連接、一体化された汚水浄化槽で、汚水流入経路における流入口直下となる一次処理槽内上部に、流入する汚水を粗濾過可能なフィルター籠を脱着自在に収容する一方、該一次処理槽内底部付近に下端を没し、同一次処理槽上側まで延伸させた吸上げ管路の上端と、同一次処理槽か、同一次処理槽の次の二次処理槽、または、該二次処理槽以下の処理槽に下端部を配し、同一次処理槽か、同一次処理槽の次の二次処理槽、または、該二次処理槽以下の同処理槽上側まで延伸させた放出管路の上端との間の当該汚水浄化槽外適所に、沈殿物を含む汚水を汲み上げ可能なポンプ、および汚水処理槽内底部付近から吸い上げた汚水の沈殿物を遠心分離可能な遠心分離機構部、ならびに汚水中の油性分を分離可能な油水分離機構部を介在、設置してなるものとしたことを特徴とする汚水浄化装置。
【請求項２】
汚水流入経路を通じて汚水浄化槽に流入してくる汚染排水を最初に収容して一時的に貯溜して排水内に含まれる汚染物質や混入異物等を沈殿分離可能な一次処理槽と、該一次処理槽に隣接してその上澄み水を充溢、移動し、収容した排水を好気性または嫌気性の微生物を用いた浄化や、中和、凝集、沈殿等による浄化を施す二次処理槽と、さらに二次処理槽に隣接し、そこから充溢、移動するようにした上澄み水を収容して塩素剤等に接触させ、自然環境中に放流可能とするよう消毒処理を施して上澄み分から順次、充溢するよう自然排水するか、あるいは所定量に達したときにポンプによる強制的な汲み上げによって排水するよう形成した二次処理槽以下の処理槽とが、一個の筐体状のものの中に連接、一体化された汚水浄化槽で、汚水流入経路における流入口直下となる一次処理槽内上部に、流入する汚水を粗濾過可能なフィルター籠を脱着自在に収容する一方、該一次処理槽の次の二次処理槽内底部付近、または該二次処理槽以下の処理槽内底部付近に下端を没し、同二次処理槽または二次処理槽以下の同処理槽上側まで延伸させた吸上げ管路の上端と、同一次処理槽、あるいは同二次処理槽以下の処理槽に下端部を配し、同一次処理槽、あるいは二次処理槽以下の同処理槽上側まで延伸させた放出管路の上端との間の当該汚水浄化槽外適所に、沈殿物を含む汚水を汲み上げ可能なポンプ、および汚水処理槽内底部付近から吸い上げた汚水の沈殿物を遠心分離可能な遠心分離機構部、ならびに汚水中の油性分を分離可能な油水分離機構部を介在、設置してなるものとしたことを特徴する汚水浄化装置。
【発明の詳細な説明】
【０００１】
【発明の目的】
この発明は、各種施設から排出される汚水を自然環境に放流可能な状態まで浄化処理する汚染水の浄化処理技術に関するものであって、特に、大量の固形状物が混在する排水を効率的に浄化処理することにより、保守管理や清掃作業を合理化することのできる新規な構造の汚水浄化装置を提供しようとするものである。
【０００２】
【従来の技術】
我が国では、公共下水道の敷設政策を推進する傍ら、未だ公共下水道が完備されない地域における各種施設や一般家庭に対し、暫くの間は、垂れ流しの下水処理から単独処理浄化槽や合併処理浄化槽等の設置処理への転換を盛んに推奨しており、こうした独立した浄化槽設備は、その管理者（設置者）に常日頃からの保守点検や清掃の責任が課せられ、定期的な法定検査が義務付けられる等、保健所やその関連機関によって自然環境に放出される排水の水質が適正に管理されるよう指導が行われている。
【０００３】
特に、最近は都市間を結ぶ交通網の発展に伴い、都心部の商店街に較べ、広い売場面積と駐車場とを比較的容易に確保できる郊外型の大型ショッピングセンターが、次々に出店して新たな市場の開拓が進められており、こうした大型商業施設には、多種多様な商店が軒を連ね、これらの店舗から発生する排水は、スーパーマーケットの調理室から排出される大量の厨芥が混じったものであったり、併設された理髪店の毛髪やコインランドリーの洗濯屑等が混入したものであったりと、一般的な生活排水に比較して異物の混入量が格段に多く、一般的な保守点検、清掃では対応しきれず、浄化槽内の排水や汚泥の全量を回収して清掃した後であっても、比較的早期の中に浄化槽内にスカムや汚泥が大量に蓄積されてしまい、同様の大掛かりな清掃を頻繁に行わなければならず、管理責任者にとって大きな経済的負担を強いられるものとなっていた。
【０００４】
そのため、浄化槽内に流入する排水中の固形状物を含む汚物を、浄化槽内において効率的に除去してしまうようにする必要から、例えば、特開平８−１０７９２号公報発明として開示された厨芥含有汚水処理装置や、特開平２−２６８８０５号公報発明の汚水等の濾過装置及び汚泥等の脱水濾過装置、あるいは実公平２−３６６４０号公報考案に提案されている含水固形物の乾燥装置等が相次いで開発されているが、こうした従前までに開発が進められてきた汚水処理装置は、いずれも比較的複雑な構造であり、従来型の浄化槽施設を基本設計から見直して設置せざるを得ない構造であったといわざるを得ず、実施に当たっては比較的高額の投資が避けられないものとなっていて、未だ未だ普及を見るまでには至っていないのが実情である。
【０００５】
この発明は、従前までの汚水浄化処理装置の以上のような状況に鑑み、充分な浄化処理能力を確保した上で、経済性に秀れた効率的な汚水浄化処理技術を実現することはできないものかとの判断から、逸速くその開発、研究に着手し、長期に渡る試行錯誤と幾多の試作、実験とを繰り返してきた結果、今回、遂に新規な構造の汚水浄化装置を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明の汚水浄化装置は、基本的に次のような構成から成り立っている。
即ち、汚水流入経路における流入口直下となる一次処理槽内上部に、流入する汚水を粗濾過可能なフィルター籠を脱着自在に収容する一方、該一次処理槽内底部付近に下端を没した吸上げ管路の上端と、同一次処理槽、同一次処理槽の次の二次処理槽、または、該二次処理槽以下の処理槽に下端部を配した放出管路の上端との間の適所に、沈殿物を含む汚水を汲み上げ可能なポンプ、および汚水処理槽内底部付近から吸い上げた汚水の沈殿物を遠心分離可能な遠心分離機構部、ならびに汚水中の油性分を分離可能な油水分離機構部を介在、設置してなる構成を要旨とする汚水浄化装置である。
【０００７】
この基本的な構成を、表現を変えて示せば、汚水流入経路における流入口直下となる一次処理槽内上部に、流入する汚水を粗濾過可能なフィルター籠を脱着自在に収容する一方、該一次処理槽の次の二次処理槽内底部付近、または該二次処理槽以下の処理槽内底部付近に下端を没した吸上げ管路の上端と、同一次処理槽、あるいは同二次処理槽以下の処理槽に下端部を配した放出管路の上端との間の適所に、沈殿物を含む汚水を汲み上げ可能なポンプ、および汚水処理槽内底部付近から吸い上げた汚水の沈殿物を遠心分離可能な遠心分離機構部、ならびに汚水中の油性分を分離可能な油水分離機構部を介在、設置してなる構成とした汚水浄化装置であるということができる。
【０００８】
フィルター籠による厨芥等の粗濾過には、厨房からの汚水流入経路における流入口直下に厨芥専用のフィルター籠を設置し、該フィルター籠内には、厨房からの排水のみが流入するようにして厨芥のみを粗濾過し、フィルター籠毎、取り出し、集積された厨芥を生ゴミとして廃棄処理するものとすべきであり、例えば合併処理浄化槽における洗濯排水や浴室排水あるいは屎尿排水等の流入口を、厨房からの排水とは別の位置もしくは別の処理槽に配置し、フィルター籠には厨房汚水だけが流入するものとするのが望ましく、厨芥用の該フィルター籠の外にも排水の種類に応じて洗濯屑専用のフィルター籠や、毛髪専用のフィルター籠等を夫々設置することが可能である外、毛髪阻集器や砂阻集器、オイル阻集器等を対応する排水流入口に適宜設置し、流入排水の種類に応じて適宜浄化処理を行うものとすることが可能である。
【０００９】
汚水浄化槽は、汚染された排水を一時的に貯水し、適宜浄化処理を施すことによって自然環境に影響のない水準まで浄化した後に放流する機能を果たすものであって、屎尿汚水のみの単独処理浄化槽、屎尿汚水の他に厨房排水、洗濯排水、浴室排水等の一般的な生活排水を含む合併処理浄化槽、または、病院や実験室、研究棟等から排出される放射性同位元素を含む排水、酸、アルカリ排水等を減衰法、希釈法、濃縮法（凝集沈殿、蒸発、イオン交換）等によって浄化処理する特殊排水処理槽等を含み、汚水処理の実用に耐える機能を備えた処理槽であれば足りるものであり、例えば、分離接触曝気方式、分離曝気方式、散水ろ床方式等のものを例示することができる。
【００１０】
一次処理槽は、汚水流入経路を通じて汚水浄化槽に流入してくる汚染排水を最初に収容して一時的に貯溜する機能を果たすものであり、主に激しい流動を避けて汚染排水の沈殿分離を促し、処理槽内底部付近に汚水中に含まれる混入固形物やその他の汚染物質等を蓄積し、所定期間毎の清掃時に回収処理可能とするものであって、流入する汚染排水量に応じ、所定時間に渡って一時的に貯溜することにより、充分な沈殿、分離を可能とする容量を確保したものとしなければならず、混入異物が分離されて上澄みとなった汚水を、二次処理槽に充溢、移動させるよう形成するのが望ましいが、適宜ポンプを設置して一定量に達した汚水を強制的に二次処理槽に供給するように構成することも可能である。
【００１１】
二次処理槽は、一次処理槽に一時的に貯溜されて混入異物を沈殿、分離させた汚水を収容し、さらに好気性または嫌気性の微生物を用いた浄化や、中和、凝集、沈殿等による浄化を施す機能を果たすものであり、例えば接触材と散気装置とを用いた分離接触曝気方式、あるいはエアレータ等による分離曝気方式による好気性の微生物を用いた浄化処理を行うものとすることが可能であり、浄化処理によって発生した汚染物質を処理槽内底部付近に蓄積して所定期間毎の清掃の際に回収処理可能とし、一次処理槽から流入する汚染排水量に応じて充分な容量を確保したものとしなければならず、混入異物が分離されて上澄みとなった汚水を、次の処理槽に充溢、移動させるよう形成することができる。
【００１２】
二次処理槽以下の処理槽は、二次処理槽から供給される汚水を一次的に貯溜し、さらに浄化処理を促進させることにより、最終的に自然環境中に放出可能な水準まで浄化する機能を果たすものであり、二次処理槽から供給される汚水を一次的に貯溜し、二次処理槽と略同様の沈殿、分離あるいは中和、凝集等の浄化を施すものとするか、あるいは最終的な消毒処理を施す処理槽とすることが可能であり、一次処理槽および二次処理槽と同様に、流入する汚水量に応じて充分な容量を確保したものとしなければならない。
【００１３】
フィルター籠は、汚水流入経路から汚水浄化槽に流入してくる汚染水を、粗濾過して所定サイズ以上の固形状物を漉し取り、蓄積し続け、浄化槽に流入する汚水を前処理することにより、設置の対象となる処理槽内に沈殿する異物の量を減少させると共に、蓄積された固形状物を適宜回収して生ゴミとして廃棄処理できるものとする機能を果たすものであり、汚水流入経路における流入口直下に脱着自在に配したものとすべきであり、所定サイズ以上の固形状物を濾過可能な、ステンレスあるいは真鍮等の比較的耐食性に秀れた金属からなる金網、スクリーン、パンチングメタル、あるいは合成樹成型品からなる網籠等とすることが可能であり、目詰まりによる堰止めを防止するために、籠上側部を処理槽内の汚水面よりも上側に浮上させると共に、下側部を同処理槽内の汚水中に没した状態に設置し、回収した固形状物を水中に没した状態に保持して腐敗臭等の発生を防止できるものとすることができる外、当該フィルター籠全体を水面上に浮上させた状態に設置して脱水、乾燥を促す構造としたり、あるいは、排水の流入口が接続される部分のみを開口し、その外の壁面を閉鎖状とした上、回収した固形状物を取り出すための排出口を開閉可能に設けたものとし、回収した固形状物の処理槽内への漏出を確実に防止できる構造とすることもできる。
【００１４】
吸上げ管路は、フィルター籠を通過させることによって濾過しきれなかった所定サイズ未満の小固形状物および汚水を汚水浄化槽から強制的に汲み上げ、浄化槽用混入異物分離機に供給可能とする機能を果たすものであり、その下端部が吸い上げの対象となる浄化槽内の底部付近に開口され、沈殿分離されて密度が高まっている汚水を不要に攪拌させてしまうことなく、優先的に汲み上げ可能とする構造とすべきであり、管体を吸い上げ対象の浄化槽上方から底部付近まで延伸させたものとすることが可能である外、管体を吸い上げ対象の浄化槽外側上方から同浄化槽の外側を通って底部付近に接続して、浄化槽内底部に開口させたものとすることが可能である。
【００１５】
ポンプは、フィルター籠を通過させることによって濾過しきれなかった所定サイズ未満の小固形状物および汚水を汚水浄化槽から強制的に汲み上げ、遠心分離機構部および油水分離機構部に向けて圧送する機能を果たすものであり、多少の固形状異物が混入している汚水であっても支障なく汲み上げて圧送することのできる能力を有するものとしなければならず、具体的には、プランジャポンプ、ピストンポンプ等の往復ポンプ、ベーンポンプ、三葉ポンプ等の回転ポンプ、ボリュートポンプ、タービンポンプ等の渦巻ポンプ、プロペラ形の羽根車を有する軸流ポンプ、ウエスコポンプ、ジェットポンプ等の特殊ポンプ等、適宜自由に選択したものを使用することが可能である。
【００１６】
遠心分離機構部は、吸い上げ対象の汚水浄化槽から汲み上げられた汚水に遠心力を加えることによって混在状となっている固形状物や沈殿物等を分離し、汚水を浄化する機能を果たすものであり、汚水を収容して比較的高速で回転する網籠によって遠心力を加えて脱水する構造とすることができる外、汲み上げた汚水の水流に遠心力を加えて、水よりも比重の軽い異物を中心に集合させて回収し、遠心側を流れる水のみを放出するよう構成したものとすることも可能である。
【００１７】
油水分離機構部は、汚水中に含まれている油脂成分を、分離して汚水を浄化させる機能を果たすものであり、油脂分を吸着する各種フィルターや濾過器、あるいは汚水が緩速で流通する間に冷却凝固し、水面上に浮上した油脂固形物を分離、回収する阻集器等を用いることが可能であり、グリース阻集器やオイル阻集器を使用することも可能である。
【００１８】
放出管路は、遠心分離機構部および油水分離機構部を順次通過することによって浄化された排水を、浄化槽内に供給して復帰させる機能を果たすものであり、下流端開口部を浄化処理槽の何れか適所に配し、ポンプの圧送力あるいは排水の自重によって流下するよう形成されたものとし、吸上げ管路と略同等の管路口径に形成したものとすべきであって、供給先となる処理槽に貯溜されている水が逆流することのないよう、供給先処理槽の水面よりも上側に開口された管路構造とするのが望ましい。
以下では、図面に示すこの発明を代表する実施例と共に、その構造について詳述することとする。
【００１９】
【実施例１】
図１の汚水浄化装置の断面図に示される事例は、汚水流入経路における流入口２１直下となる一次処理槽２内の上部に、流入する汚水を粗濾過可能なフィルター籠３を脱着自在に収容し、該一次処理槽２以降の適所に、遠心分離機構部６３および油水分離機構部６４を有する浄化槽用混入異物分離機６を配してなる基本的構成からなるこの発明に包含される汚水浄化装置１における代表的な一実施例を示すものである。
【００２０】
当該汚水浄化装置１は、その基本的な構造が、厨房から排出される汚水流入経路の流入口２１が上部に接続され、収容された汚水を一時的に貯溜して排水内に含まれる汚染物質や混入異物等を沈殿分離可能な一次処理槽２と、この一次処理槽２の上澄み水が充溢、移動されると共に、収容された排水を好気性の微生物の働きによって浄化処理を促進させる二次処理槽４、さらに、該二次処理槽４から充溢、移動された上澄み水を収容して塩素剤等に接触させることにより、自然環境中に放流可能とするよう消毒処理を施して上澄み分から順次、充溢するよう自然排水するか、あるいは所定量に達したときにポンプによる強制的な汲み上げによって排水するよう形成した三次処理槽５を有するものとなっている。
【００２１】
前記一次処理槽２内上部の流入口２１付近には、上部に開口を有する有底筒状であって、その周壁面の略全面には数ｍｍ〜１ｃｍ程度の貫通孔が多数穿孔されたステンレス製の網またはスクリーンからなるフィルター籠３を、引き上げて一次処理槽２の外部に取り出すことができる状態であり、下部を水中に没して上部を水面上に浮上させた状態に仮固定し、該流入口２１から流入してくる厨房排水がフィルター籠３を通過するように設置したものとし、適所に図示しない引き上げ用の金具繋着部または把手等を設けたものとしている。
【００２２】
また、下端を一次処理槽２の内側底部付近に没して、該一次処理槽２上側まで延伸された吸上げ管路６１の上端と、下端を三次処理槽５上に開放し、上方に延伸された放出管路６６との間には、一次処理槽２に近い上流側から、遠心分離機構部６３、ポンプ６２および油水分離機構部６５が順次、接続されて浄化処理用混入異物分離機６を形成している。
【００２３】
遠心分離機構部６３は、天面の中央に吸上げ管路６１の上端が接続され、下部にポンプ６２に通じる排水管路を接続してなる密閉状の容器内に、外部駆動モータ６４によって垂直軸心回りに回転駆動されるバスケットを収容したものであり、フィルター籠３に蓄積される異物よりも小さな固形状物をバスケット内に留めて、水分のみをポンプ６２側へ移動可能とするよう形成されており、遠心力によって汚水中から分離、回収されて蓄積された固形状物は、ある程度の量に達したときに、バスケットから取り出して、廃棄処理可能な構造となっている。
【００２４】
ポンプ６２は、遠心分離機構部６３および油水分離機構部６５の能力に応じた充分な吐出量を確保できる回転ポンプであり、油水分離機構部６５で発生する抵抗に抗して、吸上げ管路６１および遠心分離機構部６３を通じて充分な吸引力を発揮し、一定の時間毎に自動的に起動した上、一次処理槽２底部付近の沈殿物を含む汚水を強制的に吸い上げるよう組み合わせられたものとしている。
【００２５】
油水分離機構部６５は、遠心分離機構部６３によって殆どの固形状物を除去された汚水を通過させることによって水中に溶け込み、あるいは浮遊する油脂成分を吸着するフィルターを内蔵しており、油脂成分を吸着する能力が低下したときには、内蔵されたフィルターを交換して、初期性能を回復させることができる構造となっている。
【００２６】
【実施例２】
図２の汚水浄化装置１の断面図に示した事例は、汚水流入経路における流入口２１直下となる一次処理槽２内上部に、フィルター籠３を脱着自在に収容し、該一次処理槽２以降の適所に、遠心分離機構部６３および油水分離機構部６４を有する浄化槽用混入異物分離機６を配してなる基本的構成からなるこの発明に包含される汚水浄化装置１における他の実施例を示すものである。
【００２７】
当該汚水浄化装置１は、その一次処理槽２、二次処理槽４、三次処理槽５およびフィルター籠３の設置構造が前述の実施例と略同じなので、これらの箇所に関する説明を省略し、構造の異なる浄化処理用混入異物分離機６についてのみ以下に開示することとする。
【００２８】
浄化処理用混入異物分離機６は、下端を三次処理槽５の内側底部付近に没して同三次処理槽５上側まで延伸させた吸上げ管路６１の上端に、ポンプ６２を接続し、このポンプ６２の下流側に遠心分離機構部６３および油水分離機構部６５を順次接続し、さらに油水分離機構部６５の下流側に、下端が三次処理槽５上に開放された放出管路６６の上端を接続したものに形成されている。
【００２９】
ポンプ６４は、遠心分離機構部６３および油水分離機構部６５の通水能力に応じた充分な吐出量を確保できる回転ポンプであり、吸上げ管路６１を通じて三次処理槽５内の底部付近にある沈殿物を含む汚水を、間欠的且つ強制的に汲み上げて、後続の遠心分離機構部６３や油水分離機構部６５によって発生する抵抗に抗し、汚水を放出するように組み合わせられ、一定の時間毎に起動するよう自動的に制御されるものとなっている。
【００３０】
遠心分離機構部６３は、天面の中央にポンプ６４からの送水管路が接続され、下部に油水分離機構部６５に通じる排水管路を接続してなる密閉状の容器内に、外部駆動モータ６４によって垂直軸心回りに回転駆動されるバスケットを収容し、フィルター籠３に蓄積される異物よりも小さな固形状物をバスケット内に留めて、水分のみをポンプ６２側へ移動可能とするよう形成されて、汚水中から分離、回収されて蓄積された固形状物を、ポンプ６４による送水が停止された時に遠心力によって脱水乾燥させ、ある程度の量に達したときに、バスケットから取り出し、生ゴミとして処理することが可能な構造となっている。油水分離機構部６５は、通過する汚水中に溶け込み、あるいは浮遊する油脂成分を吸着するフィルターを交換可能に内蔵したものとなっている。
【００３１】
【作用】
以上のとおりの構成からなるこの発明を代表する汚水浄化装置１は、図１に示したように、厨房から排出される厨芥を含む汚水が流入口２１を通じて一次処理槽２内に設置されているフィルター籠３に供給され、該フィルター籠３によって数ｍｍ〜１ｃｍ程度以上の固形状物である比較的大きな厨芥を濾過して回収し、フィルター籠３を通過した汚水が一次処理槽２内に一時的に貯溜されることとなり、次々に流れ込んでくる厨房排水によって蓄積された厨芥が洗われると共に、圧縮されて集積状となり厨芥の量を減量化してしまう。
【００３２】
次第に厨芥の蓄積量が増加して一次処理槽２の水面よりも上側にまで達した場合であっても、水面上に浮上するように設置されたフィルター籠３は充分に濾過機能を発揮するものとなり、このようにしてフィルター籠３内に蓄積された厨芥は、フィルター籠３を一次処理槽２内から引き上げて水切りを行った後に、生ゴミとして廃棄処理してしまい、空になったフィルター籠３は、適宜清掃して再度、汚水浄化装置１の所定箇所に設置され、厨芥の回収に用いることが可能となる。
【００３３】
また、フィルター籠３に回収されずに落下した比較的小さな厨芥やその他の異物類は、次第に一次処理槽２の底部付近に沈殿、分離されて堆積するが、こうした堆積物を含んだ汚染物は、そのまま放置すると汚泥化して、汚水浄化装置１の管理委託業者による定期的な清掃の際に全て回収、処理しなければならないものとなるが、浄化槽用混入異物分離機６のポンプ６２が一定時間毎に自動的に起動し、吸上げ管路６１を通じて堆積物を含む排水を強制的に吸引して、遠心分離機構部６３内に圧送、供給し、このように排水の供給を受けた遠心分離機構部６３は、ポンプ６２の起動に連動して動作する駆動モータ６４の駆動力によって内蔵されたバスケットを垂直軸心回りに回転駆動させ、比較的小さな固形状物をバスケット内に留めて水分のみを遠心分離することとなる。
【００３４】
遠心分離機構部６３から送出された排水は、ポンプ６２によって油水分離機構部６５に強制的に供給されて、水中に含まれる油脂成分を内蔵されたフィルターに吸着されることにより、油水が分離され、浄化された後に放出管路６６を通じて三次処理槽５に放流されることとなり、一次処理槽２から充溢、移動した上澄み水が、二次処理槽４で好気性の微生物によって浄化処理され、さらに三次処理槽５に充溢、移動されてきた排水と合流される。
【００３５】
三次処理槽５で合流された排水は、図示しない塩素剤によって自然環境に影響のない程度に消毒が施されて充分に浄化された上澄み水が自然に充溢し、汚水浄化装置１の外に放流されることとなる。
また、図２の汚水浄化装置１は、厨房から排出された汚水が汚水流入経路の流入口２１を通じて、一次処理槽２内に設置されているフィルター籠３に供給され、比較的大きな厨芥が回収され、通過した汚水が一次処理槽２内に貯溜される。そして、フィルター籠３内に蓄積された厨芥は、フィルター籠３を引き上げて回収し、生ゴミとして廃棄処理することが可能である。
【００３６】
一次処理槽２内に貯溜された排水は、小さな固形状物が次第に沈殿、分離して底部付近に堆積することとなり、上澄み水が隣接する二次処理槽４に充溢、移動され、同二次処理槽４に移動した汚水は、微生物の作用によって浄化処理され、さらに上澄み水が隣接する三次処理槽５に充溢、移動するものとなる。
【００３７】
該三次処理槽５に対して設置された浄化槽用混入異物分離機６は、一定時間毎にポンプ６２が作動して三次処理槽５内底部付近の汚水を強制的に吸引し、遠心分離機構部６３内に圧送し、排水の供給を受けた遠心分離機構部６３は、ポンプ６２に連動する駆動モータ６４の駆動力によって内蔵するバスケットを垂直軸心回りに回転駆動し、小さな固形状物をバスケット内に回収して水分のみを遠心分離して後続の油水分離機構部６５へ向けて送出するものとなり、ポンプ６２の作動後もしばらく遠心分離機構部６５を駆動するよう制御すれば、分離した固形状物を脱水した上、廃棄処理しなければならないゴミの減量化を可能とし、油水分離機構部６５は、供給された排水中に含まれる油脂成分を、内蔵したフィルターに吸着、除去することによって油水を分離し、浄化された排水を放出管路６６を通じて三次処理槽５に放流することとなる。
【００３８】
このように、二次処理槽から充溢、移動してきた排水は、三次処理槽５に貯溜されると、一定の時間毎に浄化槽用混入異物分離機６に汲み上げられ、水中に含有する沈殿物や油脂成分を含む厨芥等が分離、除去された後に放流されるという循環を繰り返して清浄化されると共に、図示しない塩素剤によって自然環境に影響を及ぼさない程度に消毒された後に、浄化された上澄み水が自然に充溢して、汚水浄化装置１の外に放流されることとなる。
【００３９】
【効果】
以上のとおり、この発明の汚水浄化装置によれば、汚染水が汚水流入経路から汚水浄化槽へ流入する最初の段階において、所定ザイズ以上の固形状物をフィルター籠を用いて粗濾過し、比較的大きく微生物等によって浄化することが困難な固形状物の殆どを予め除去してしまうと共に、汚水浄化槽内に貯溜された小さな固形状物を定時的に汲み上げて遠心分離ならびに油水分離を施し、汚水中に含まれている小固形状物や油脂成分等を分離、除去してしまった後に、汚水浄化槽内に復帰させることにより、汚水浄化槽内への異物の進入を徹底的に排除し、フィルター籠や遠心分離、油水分離等によって回収された固形状物や油脂成分等は、夫々個別に取り出して一般ゴミとして適宜廃棄処理することを可能とし、汚水浄化槽内に沈殿、堆積する汚泥量を大幅に低減させて、従前までであれば、大量の固形状物を含む排水を浄化処理する場合には、比較的早期の中に汚水浄化槽内に大量の汚泥が沈殿、堆積してしまい、専門の管理委託業者による大掛りな清掃作業を頻繁に行わなければならなかったが、こうした清掃作業の頻度を格段に軽減することができるという秀れた効果を発揮できるものである。
【００４０】
また、この発明の汚水浄化装置は、汚水流入経路の流入口が配された処理槽内の上部にフィルター籠を脱着自在に収容すると共に、処理槽内の底部付近に下端を没した吸上げ管路を通じて汲み上げた汚水を、処理槽外に設置された遠心分離機構部、油水分離機構部に順次供給し、浄化された排水を放出管路を通じて再び処理槽内に復帰させるよう構成したことにより、従前までの一般的な汚水浄化槽施設の根本的な構造を、そのままの形で利用できるものとしたので、新設の場合にも従前までの施工技術をそのまま利用することができる上、既に使用中の既存の浄化処理施設に対してフィルター籠、遠心分離機構部および油水分離機構部等を取り付けることにより、比較的容易に完成させることが可能であり、しかも主要構成部分が浄化槽のマンホール付近や外側に配置されているので点検、整備や清掃、および老朽後の交換作業が容易で、維持管理費を軽減できるので経済的に有利であるという秀れた特徴を有するものとすることができる。
【００４１】
さらに、この発明の汚水浄化装置の処理槽内底部付近に下端を没した吸上げ管路によって処理槽内で静かに分離、沈殿している固形状物や汚泥等を攪拌して荒らしてしまうことなく、静かに吸い上げることができるので、設置対象となる処理槽の上澄み水を清浄に保ち、浄化能力を高く維持することが可能であり、遠心分離機構部で小固形状物を分離、除去した後に、油水分離機構部で油脂成分を分離、除去してしまうので、従前までであれば処理槽内にそのまま蓄積されてしまう汚染物質の大部分を汲み上げて取り出し、一般ゴミとして排気処理できるものとすることができ、浄化槽の全ての汚水および汚泥を汲み上げて行わなければならない、管理委託業者による大掛りな清掃作業の頻度を格段に減少させることができると共に、処理槽内に蓄積される汚染物質量を常に減少させて、浄化槽の浄化処理能力を格段に向上することができるという秀れた効果を発揮できる。
【００４２】
特に、実施例に説明した汚水浄化装置１は、上記した特徴に加え、フィルター籠３の上側部を一次処理槽２内の汚水面よりも上側に浮上させ、下側部を一次処理槽２内の汚水中に没した状態に、着脱自在に設置したことにより、フィルター籠３内に回収、蓄積された固形状物が汚水面よりも上側まで堆積してしまった場合であっても、フィルター籠３の上側部を通じて排水可能として、目詰まりによる堰止めの発生を防止して排水の流れを正常に保つことができるものとなる。
【００４３】
また、大量の厨芥が発生する調理室から排出される厨房汚水の排水経路の流入口に厨芥専用のフィルター籠３を設置すれば、浄化処理能力を著しく低下させる大量の厨芥を汚水中から予め分離、除去してしまうことができる一方、浄化槽用混入異物分離機６によって一次処理槽２（三次処理槽５）から汲み上げた汚水を、遠心分離機構部６３や油水分離機構部６５に供給、通過させることによって厨芥に多く含まれる小さな固形状物や油脂成分をも分離、除去してしまうことができるので、従前までの浄化処理施設に比較して、高い浄化処理性能を長く維持することができる上、取り出した厨芥は他の汚染物質を含まないので、一般の生ゴミとして通常に廃棄処理することができるという効果を発揮する。
【００４４】
叙述の如く、この発明の汚水浄化装置は、その新規な構成によって所期の目的を遍く達成可能とするものであり、しかも製造も容易で、従前までの浄化槽施設に比較して、特に大量の固形状物を含む汚水を発生する大規模な工場、研究所、実験室、調理室等において管理委託業者による汚泥の回収、清掃作業の頻度を格段に削減して、遥かに経済的なものとすることができる上、浄化処理能力自体も大幅に高めることができることから、費用の削減と排水の浄化水準の向上とを確実に達成可能にするものであり、郊外型の大型ショッピングセンターや各種工場等、大量に発生する汚水の浄化処理の保守、管理する責任を負う管理者（設置者）ならびに、その管理の委託を受ける保守、点検業者等の下水処理に関連する各業界において高く評価され、広範に渡って利用、普及していくものになると予想される。
【図面の簡単な説明】
図面は、この発明の汚水浄化装置の技術的思想を具現化した代表的な幾つかの実施例を示すものである。
【図１】    汚水浄化装置の構造を示す断面図である。
【図２】    他の実施例における汚水浄化装置の構造を示す断面図である。
【符号の説明】
１      汚水浄化装置
２      一次処理槽
２１    同  流入口
３      フィルター籠
４      二次処理槽
５      三次処理槽（二次処理槽以下の処理槽）
６      浄化槽用混入異物分離機
６１    同  吸上げ管路
６２    同  ポンプ
６３    同  遠心分離機構部
６４    同  駆動モータ
６５    同  油水分離機構部
６６    同  放出管路
【図１】
0004117342.tif 000002
【図２】
0004117342.tif 000003